(57)【要約】    【課題】  結納用装飾品、その他の各種の水引製装飾細工品からもマイナスイオンが発生して人の精神を安定させるようにする等、装飾細工用水引からマイナスイオンを発生できるようにする。    【解決手段】  装飾細工用水引１は、マイナスイオン発生物質を含んでいる。マイナスイオン発生物質には、トルマリンとトルマリンからのマイナスイオンの発生を励起させる励起物質とを含む。マイナスイオン発生物質は、水引本体２に含浸又は塗工することが望ましい。その場合、水引本体２の表面を仕上げる仕上げ塗工剤とマイナスイオン発生物質とを混ぜて塗工してもよい。【選択図】    図１
2005273041.tif 000002
【特許請求の範囲】
【請求項１】
マイナスイオン発生物質を含むことを特徴とする装飾細工用水引。
【請求項２】
前記マイナスイオン発生物質は、トルマリンと該トルマリンからのマイナスイオンの発生を励起させる励起物質とを含むことを特徴とする請求項１に記載の装飾細工用水引。
【請求項３】
水引本体に前記マイナスイオン発生物質を含浸又は塗工したことを特徴とする請求項１又は２に記載の装飾細工用水引。
【請求項４】
水引本体の表面に、該水引本体の表面を仕上げる仕上げ塗工剤と前記マイナスイオン発生物質とを混ぜて塗工したことを特徴とする請求項１〜３の何れかに記載の装飾細工用水引。
【請求項５】
撚糸からなる水引本体、又は撚糸に装飾細片等の装飾糸を螺旋状に捲回してなる水引本体の表面に塗工する下地塗工剤に前記マイナスイオン発生物質を混ぜたことを特徴とする請求項１〜３の何れかに記載の装飾細工用水引。
【請求項６】
水引本体を長手方向に送りつつ、下地塗工工程で下地塗工剤を、仕上げ塗工工程で仕上げ塗工剤を順次水引本体の表面に塗工すると共に、その塗工後の乾燥工程で塗工剤を順次乾燥させながら装飾細工用水引を製造するに際して、前記下地塗工剤又は仕上げ塗工剤にマイナスイオン発生物質を混ぜて前記水引本体の表面に塗工することを特徴とする装飾細工用水引の製造方法。
【発明の詳細な説明】
【技術分野】
【０００１】
本発明は、マイナスイオンを発生する装飾細工用水引及びその製造方法に関するものである。
【背景技術】
【０００２】
結納用装飾品、その他の各種の装飾細工品に水引を使用したものがある。この種の水引製装飾細工品に用いられる装飾細工用水引には、従来、紙撚糸の表面を光輝性着色剤で着色したもの、紙撚糸の表面に光輝性装飾細片、絹糸、ホログラフィックフィルム細片等を螺旋状に捲回したもの等がある（特許文献１）。
【０００３】
一方、マイナスイオンには人間の精神を安定させたり、身体をリラックスさせたりする等、人間の健康を回復し維持する上で重要な働きがあると言われている。このためマイナスイオン発生物質であるトルマリンの微細粉末が混入された繊維を使用した衣服が提案される等、健康を回復し増進する点においてマイナスイオン又はトルマリンが非常に注目され、それを応用した各種の商品が提案されている。
【特許文献１】特開平９−１１１６２７号公報
【発明の開示】
【発明が解決しようとする課題】
【０００４】
水引を使用した結納用装飾品等の水引製装飾細工品は、それ自体が醸し出す雰囲気、装飾的美感等によって、それを見る人々に感動を与えたり、人々の心を和ませたりする効果がある。しかし、従来の水引はその表面を着色したり、光輝性装飾糸を捲回したに過ぎないため、マイナスイオン発生物質であるトルマリンの微細粉末が混入された繊維等を使用する衣服、その他の各種商品とは異なり、水引製装飾細工品から発生するマイナスイオンによって人の精神を安定させたり、身体をリラックスさせたりする等の効果は期待できない。
【０００５】
本発明は、かかる従来の課題に鑑み、結納用装飾品、その他の各種の水引製装飾細工品からもマイナスイオンが発生して人の精神を安定させるようにする等、マイナスイオンを発生することのできる装飾細工用水引、及びその装飾細工用水引を容易に製造できる製造方法を提供することを目的とする。
【課題を解決するための手段】
【０００６】
本発明の装飾細工用水引は、マイナスイオン発生物質を含むものである。前記マイナスイオン発生物質は、トルマリンと該トルマリンからのマイナスイオンの発生を励起させる励起物質とを含むことがある。水引本体に前記マイナスイオン発生物質を含浸又は塗工することが望ましい。
【０００７】
水引本体の表面にマイナスイオン発生物質を塗工する場合、該水引本体の表面を仕上げる仕上げ塗工剤と前記マイナスイオン発生物質とを混ぜて塗工してもよい。また撚糸からなる水引本体、又は撚糸に装飾細片等の装飾糸を螺旋状に捲回してなる水引本体の表面に塗工する下地塗工剤に前記マイナスイオン発生物質を混ぜても良い。
【０００８】
本発明に係る装飾細工用水引の製造方法は、水引本体を長手方向に送りつつ、下地塗工工程で下地塗工剤を、仕上げ塗工工程で仕上げ塗工剤を順次水引本体の表面に塗工すると共に、その塗工後の乾燥工程で塗工剤を順次乾燥させながら装飾細工用水引を製造するに際して、前記下地塗工剤又は仕上げ塗工剤にマイナスイオン発生物質を混ぜて前記水引本体の表面に塗工する。
【発明の効果】
【０００９】
本発明の装飾細工用水引では、結納用装飾品、その他の各種の水引製装飾細工品からもマイナスイオンが発生して人の精神を安定させるようにする等、マイナスイオンを発生することができる。また本発明の製造方法では、装飾細工用水引を容易に製造できる。
【発明を実施するための最良の形態】
【００１０】
以下、本発明の各実施例を図面に基づいて詳述する。図１（Ａ）（Ｂ）はマイナスイオン発生物質を含む装飾細工用水引１を例示しており、この装飾細工用水引１には水引本体２の外周表面のコーティング層３にマイナスイオン発生物質Ｘ（図３参照）が混入されている。図１（Ａ）の装飾細工用水引１は和紙等の紙、その他の材料から成る撚糸、例えば紙撚糸４により水引本体２が構成されている。また図１（Ｂ）の装飾細工用水引１は、和紙等の紙、その他の材料から成る撚糸、例えば紙撚糸４の外周に光輝性装飾細片、天然絹糸、人造絹糸等の光輝性装飾糸５を隙間なく螺旋状に捲回して水引本体２が構成されている。
【００１１】
そして、この装飾細工用水引１は、図２に示すように紙撚糸４から成る水引本体２、又は紙撚糸４に光輝性装飾糸５を隙間なく捲回して成る水引本体２の表面全体にコーティング層３が形成され、そのコーティング層３にマイナスイオン発生物質Ｘが混入されている。
【００１２】
コーティング層３は、例えば１次塗工層６、２次塗工層７、３次塗工層８、仕上げ塗工層９の３層構造に形成される等、所定の塗工剤の塗工とその乾燥とを順次繰り返しながら複数層に形成されている。
【００１３】
１次塗工層６には、着色、滑り性を目的として接着剤、クレー粉、顔料等の混合溶液から成る１次塗工剤（下地塗工剤）が使用されている。２次塗工層７には、着色、光沢を目的として顔料、アクリル樹脂等の混合溶液から成る２次塗工剤（下地塗工剤）が使用されている。３次塗工層８には、ブロッキング防止、光沢を目的としてアクリル樹脂溶液等の３次塗工剤（下地塗工剤）が使用されている。
【００１４】
仕上げ塗工層９にはマイナスイオン発生物質Ｘが混入されており、滑り性を目的とするシリコン溶液と、マイナスイオンの発生を目的とするマイナスイオン発生物質溶液との混合溶液（仕上げ塗工剤）が使用されている。
【００１５】
マイナスイオン発生物質Ｘは、マイナスイオンを安定的、継続的に発生できることが望ましく、この実施例では図３に示すようにトルマリンＸ１（例えばトルマリンＸ１の微粉末）と、このトルマリンＸ１からのマイナスイオンの発生を励起させるための励起物質Ｘ２（例えば極少量の酸化トリウムを含む放射性物質）等が使用されている。
【００１６】
なお、マイナスイオン発生物質Ｘには、その他のものを使用しても良い。例えば、特許第２６３７０５４号公報に記載の液相遠赤外線放射組成物（珪酸ナトリウム、ナトリウムアルミネート、酸化ナトリウム、チオ硫酸ナトリウム、二酸化ゲルマニウム、上白糖を夫々２０〜４０°Ｃで水に溶解した後混合し、これに塩化金酸溶液とチオ硫酸銀溶液とを添加して常温で４８〜７２時間維持して製造された物質）、又は西田通商株式会社（横浜市）の販売に係る商標「カシピア」のマイナスイオン発生溶液等がある。
【００１７】
図４はマイナスイオン発生物質Ｘを含む装飾細工用水引１の製造工程を例示する。装飾細工用水引１の製造に際しては、水引本体繰り出し部１０から所定数（例えば１５０〜２００本程度）の水引本体２を一列状に並べて繰り出し、その水引本体２を多段の送りローラ１１〜１４により隣り合う送りローラ１１〜１４相互間で所定の張力を掛けて長手方向に送りつつ、１次塗工工程１５、１次乾燥工程１６、２次塗工工程１７、２次乾燥工程１８、３次塗工工程１９、３次乾燥工程２０、仕上げ塗工工程２１、仕上げ乾燥工程２２、定寸裁断工程２３を経て、各塗工工程１５，１７，１９で水引本体２の表面に塗工剤を塗工すると共に、各乾燥工程１６，１８，２０で塗工剤を乾燥させた後、定寸裁断工程２３で所定長さに裁断する。
【００１８】
１次塗工工程１５では、水引本体２を溶液層内の１次塗工剤中に通して表面に１次塗工剤を塗工し、その１次塗工剤を１次乾燥工程１６で乾燥させて、水引本体２の表面に１次塗工層６を形成することにより水引本体２を着色し滑り性を良くする。
【００１９】
２次塗工工程１７でも、水引本体２を溶液層内の２次塗工剤中に通して１次塗工層６の表面に２次塗工剤を塗工し、その２次塗工剤を２次乾燥工程１８で乾燥させて、水引本体２の表面に２次塗工層７を形成することにより水引本体２を着色し光沢を良くする。
【００２０】
３次塗工工程１９では、水引本体２の２次塗工層７の表面に同様にして３次塗工剤を塗工し、その３次塗工剤を３次乾燥工程２０で乾燥させて、水引本体２の表面に３次塗工層８を形成することにより水引本体２のブロッキングを防止し光沢を良くする。
【００２１】
仕上げ塗工工程２１では、水引本体２の３次塗工層８の表面に同様にして仕上げ塗工剤を塗工し、その仕上げ塗工剤を仕上げ乾燥工程２２で乾燥させて、水引本体２の表面に仕上げ塗工層９を形成することにより水引本体２の滑り性を良くし、またその後のマイナスイオンの発生を可能にする。そして、最後の定寸裁断工程２３では所定長さに裁断し、水引本体２の表面にコーティング層３が形成された装飾細工用水引１とする。
【００２２】
結納用装飾品、室内用装飾品等の水引製装飾品は、多種類の装飾細工用水引１を多量に使用して製造されている。従って、このような水引製装飾品の製造に、マイナスイオン発生物質Ｘを含む装飾細工用水引１を使用すれば、その製造中は勿論のこと、水引製装飾品を置いた場所においても、水引製装飾品からその周辺にマイナスイオンが発生する。このためマイナスイオンの作用によって精神を安定させたり身体をリラックスさせたりする等、マイナスイオンが奏する所定の効果を期待でき、水引製装飾品が醸し出す雰囲気、美感等が人に与える感動等を更に増進させることができる。
【００２３】
マイナスイオン発生物質ＸがトルマリンＸ１とトルマリンＸ１に対してマイナスイオンの発生を励起する励起物質Ｘ２とを組み合わせたものの場合には、マイナスイオンが安定して継続的に発生するため、そのマイナスイオン効果を継続的に得ることができる。
【００２４】
またマイナスイオン発生物質ＸがトルマリンＸ１の場合には、太陽光線を当てること、振動、音等の刺激を与えること、水に濡らすこと、温度を上げること、空気を対流させること、重力や圧力を加えること等によりマイナスイオンが発生し易くなるため、水引製装飾品をそのような環境下に置くことによって所定のマイナスイオン効果を得ることができる。
【００２５】
圧力等の刺激を加えることによってマイナスイオンを発生するマイナスイオン発生物質Ｘの場合には、常時継続的に、又は断続的に圧力等が加わるような形態で使用する水引製装飾品に使用すれば良い。
【００２６】
以上、本発明の一実施例について詳述したが、本発明はこの実施例に限定されるものではなく、その趣旨を逸脱しない範囲内で種々の変更が可能である。例えば実施例では、仕上げ塗工剤にマイナスイオン発生物質Ｘを混合して仕上げ塗工工程２１でマイナスイオン発生物質Ｘを塗工するようにしているが、下地塗工剤にマイナスイオン発生物質Ｘを混ぜておき、仕上げ塗工工程２１よりも前の下地塗工工程において塗工しても良い。
【００２７】
下地塗工工程が実施例の１次塗工工程１５、２次塗工工程１７、３次塗工工程１９のように複数の場合には、その複数の塗工工程１５，１７，１９の一部又は全部でマイナスイオン発生物質Ｘを塗工しても良い。
【００２８】
マイナスイオン発生物質Ｘは水引本体２に塗工する他、水引本体２をマイナスイオン発生物質Ｘの溶液中に浸漬して、マイナスイオン発生物質Ｘを水引本体２に含浸させても良い。また紙等の材料を撚る前の段階でマイナスイオン発生物質Ｘの溶液を含浸又は塗工しても良い。下地塗工工程は１回又は２回でも良いし、４回以上でも良い。水引本体２は他の種類のものでも良い。
【図面の簡単な説明】
【００２９】
【図１】（Ａ）（Ｂ）は本発明の一実施例を示す装飾細工用水引の説明図である。
【図２】本発明の一実施例を示す装飾細工用水引の拡大断面図である。
【図３】本発明の一実施例を示すマイナスイオン発生物質の説明図である。
【図４】本発明の一実施例を示す装飾細工用水引の製造工程図である。
【符号の説明】
【００３０】
１  装飾細工用水引
２  水引本体
３  コーティング層
１５  １次塗工工程
１７  ２次塗工工程
１９  ３次塗工工程
２１  仕上げ塗工工程
Ｘ  マイナスイオン発生物質
【図１】
2005273041.tif 000003
【図２】
2005273041.tif 000004
【図３】
2005273041.tif 000005
【図４】
2005273041.tif 000006